(57)【要約】コンピュータ実装方法は、色のデジタル画像および色に関連するメタデータのデータベースを提供することと、１つ以上の検索基準を使用して、デジタル画像の色のうちの１つ以上を識別することと、識別された色のデジタル画像を表示することと、表示された色から関心色を選択することと、メタデータを使用して、関心色に関連する付加的情報を識別することと、選択された色のデジタル画像および付加的情報を表示することと、選択された色の表示されたデジタル画像および付加的情報を使用して、最終色選択を行うこととを含む。本方法を実装するために使用され得る装置もまた、提供される。
2014510322.tif 000002
【特許請求の範囲】
【請求項１】
コンピュータ実装方法であって、
色のデジタル画像および前記色に関連するメタデータのデータベースを提供することと、
１つ以上の検索基準を使用して、前記デジタル画像の色のうちの１つ以上を識別することと、
前記識別された色の前記デジタル画像を表示することと、
前記表示された色から関心色を選択することと、
前記メタデータを使用して、前記関心色に関連する付加的情報を識別することと、
前記関心色の前記デジタル画像および前記付加的情報を表示することと、
前記関心色の前記表示されたデジタル画像および前記付加的情報を使用して、最終色選択を行うことと
を含む、方法。
【請求項２】
前記関心色より明るいまたは暗い色を検索することをさらに含む、請求項１に記載の方法。
【請求項３】
前記関心色と異なる色相を有する色を検索することをさらに含む、請求項１に記載の方法。
【請求項４】
ソーシャルネットワーキングサイトまたは電子メールを介して、選択された色を他者と共有することをさらに含む、請求項１に記載の方法。
【請求項５】
前記メタデータは、色系、色群、または色人気度のうちの少なくとも１つを含む、請求項１に記載の方法。
【請求項６】
前記色系は、色彩的に記憶される、請求項５に記載の方法。
【請求項７】
前記色群は、青色、緑色、橙色、赤色、菫色、または黄色のうちの少なくとも１つを含む、請求項５に記載の方法。
【請求項８】
色視覚化ソフトウェアプログラムを使用して、前記関心色を視覚化することをさらに含む、請求項１に記載の方法。
【請求項９】
合わせる、または調和させる室内装飾アイテムのデジタル表現を表示することをさらに含む、請求項１に記載の方法。
【請求項１０】
前記関心色が適用された内装または外装画像のデジタル写真を表示することをさらに含む、請求項１に記載の方法。
【請求項１１】
前記関心色の塗料の色サンプルまたは充填容器を購入することをさらに含む、請求項１に記載の方法。
【請求項１２】
前記関心色の塗料を購入する場所を識別することをさらに含む、請求項１に記載の方法。
【請求項１３】
前記関心色の塗料調合を表示することをさらに含む、請求項１に記載の方法。
【請求項１４】
色調合読み出しツールへのリンクを有効にすることをさらに含む、請求項１に記載の方法。
【請求項１５】
塗料および／または補助製品が購入され得る場所へのアクセスを有効にすることをさらに含む、請求項１に記載の方法。
【請求項１６】
色視覚化ツールを使用することをさらに含み、前記関心色は、製造された物品の３次元表現上に視覚化されることが可能である、請求項１に記載の方法。
【請求項１７】
前記選択された色は、購入注文に関して入力される、請求項１に記載の方法。
【請求項１８】
色のデジタル画像および前記色に関連するメタデータのデータベースを記憶するためのメモリと、
ネットワークを経由して、ユーザから伝送された検索基準を受信することと、前記検索基準を使用して、前記デジタル画像の色のうちの１つ以上を識別することと、前記識別された色の前記デジタル画像を表示することとを行うように構成されているプロセッサと、
前記表示された色から関心色を選択するためのユーザインターフェースと
を備え、前記プロセッサは、前記メタデータを使用して、前記関心色に関連する付加的情報を識別し、前記ユーザインターフェースは、前記関心色の前記デジタル画像および前記付加的情報を表示する、装置。
【請求項１９】
前記プロセッサは、前記関心色より明るいまたは暗い色を識別するように構成されている、請求項１８に記載の装置。
【請求項２０】
前記プロセッサは、前記関心色と異なる色相の色を識別するように構成されている、請求項１８に記載の装置。
【発明の詳細な説明】
【技術分野】
【０００１】
（関連出願の引用）
本願は、米国仮特許出願第６１／４２９，６４２号（２０１１年１月４日出願、名称「Ｗｅｂ−Ｂａｓｅｄ  Ｃｏｌｏｒ  Ｓｅｌｅｃｔｉｏｎ  Ｓｙｓｔｅｍ」）の利益を主張する。該出願は、参照により本明細書に引用される。
【０００２】
（発明の分野）
本発明は、色を選択するためのシステムおよび方法に関する。
【背景技術】
【０００３】
建築用塗膜、自動車ＯＥＭ、および航空機事業、ならびに多くの産業事業を含む、塗料の色選択が関連する多くの産業が存在する。電化製品、金属製オフィス家具、オートバイ、ならびに携帯電話、ＭＰ３プレーヤ、および同等物を含む消費者電子機器等の消費財を取り扱う産業業界は、色選択に特定の関心を有する。
【０００４】
建物の内装または外装を塗装する目的のための色選択の現在のプロセスは、色のストライプカードおよび／または色のサンプル瓶の使用を伴い、その使用は、個人が、色選択を行い、これらのアイテムを取り出す場所に行く、またはそれらを注文し、指定された場所に発送させるかのいずれかを要求する。これは、塗料を購入および適用する全体的プロセスに有意な遅延を生じさせる。
【０００５】
種々の公知のシステムは、現在、消費者が、コンピュータディスプレイ上に示される色に基づいて、塗料色を選択することを可能にする。加えて、色の視覚化等の色の信頼性ツールは、色選択プロセスにおいて、消費者を支援する。しかしながら、これらの方法だけでは、ユーザコンピュータディスプレイの精度によって制限され、それによって、消費者の心理に色の選択に関して、ある程度の疑いを生じさせる。
【０００６】
色を選択および／または合わせるための改良された方法および装置が、所望される。
【発明の概要】
【課題を解決するための手段】
【０００７】
コンピュータ実装方法は、色のデジタル画像および色に関連するメタデータのデータベースを提供することと、１つ以上の検索基準を使用して、デジタル画像の色のうちの１つ以上を識別することと、識別された色のデジタル画像を表示することと、表示された色から関心色を選択することと、メタデータを使用して、関心色に関連する付加的情報を識別することと、関心色のデジタル画像および付加的情報を表示することと、関心色の表示されたデジタル画像および付加的情報を使用して、最終色選択を行うこととを含む。
【０００８】
種々の実施形態では、本方法は、色の視覚化、色サンプル／ガロンの購入、および／または選択された色と合わせる／調和させる室内装飾への連関を含むことができる。
【０００９】
装置は、色のデジタル画像および色に関連するメタデータのデータベースを記憶するためのメモリと、ネットワークを経由して、ユーザから伝送された検索基準を受信し、検索基準を使用して、デジタル画像の色のうちの１つ以上を識別するように構成されるプロセッサと、識別された色のデジタル画像を表示し、表示された色から関心色を選択するためのユーザインターフェースとを含み、プロセッサは、メタデータを使用して、関心色に関連する付加的情報を識別し、ユーザインターフェースは、関心色のデジタル画像および付加的情報を表示する。
【００１０】
種々の実施形態では、プロセッサは、色の視覚化、色サンプル／ガロンの購入、および／または選択された色と合わせる／調和させる室内装飾への連関を可能にするように構成されることができる。
【図面の簡単な説明】
【００１１】
【図１】図１は、本発明の実施形態を実践するために使用され得るシステムの概略ブロック図である。
【図２】図２は、データベース構造の概略図である。
【図３】図３−１０は、画面ディスプレイの表現である。
【図４】図３−１０は、画面ディスプレイの表現である。
【図５】図３−１０は、画面ディスプレイの表現である。
【図６】図３−１０は、画面ディスプレイの表現である。
【図７】図３−１０は、画面ディスプレイの表現である。
【図８】図３−１０は、画面ディスプレイの表現である。
【図９】図３−１０は、画面ディスプレイの表現である。
【図１０】図３−１０は、画面ディスプレイの表現である。
【発明を実施するための形態】
【００１２】
一側面では、方法および装置は、消費者が、色のデジタル表現（例えば、色のデジタル画像）およびメタデータ等の各色に関する付加的情報を使用して、色選択の決定を行うことを可能にすることによって、当技術分野における制限および／または他の欠点を解決するために提供される。本説明で使用される場合、消費者（ユーザとも呼ばれる）とは、塗料または色を購入、使用、指定、および／または選択する任意の人を含む。色に関するメタデータは、限定されないが、色系（ｃｏｌｏｒ  ｆａｍｉｌｙ）（すなわち、赤色、緑色、青色等）、色群（ｃｏｌｏｒ  ｇｒｏｕｐ）（すなわち、クリーン（ｃｌｅａｎ）、ミュート（ｍｕｔｅｄ）、シェード（ｓｈａｄｅｄ）、ピュア（ｐｕｒｅ））、およびその色が過去にどれだけ購入されたかに基づく色人気度（ｃｏｌｏｒ  ｐｏｐｕｌａｒｉｔｙ）を含み得る。ある実施形態では、特定の色に関する付加的情報は、選択された色と調和するように事前に選択された他の色、選択された色が以前に使用された内装あるいは外装画像の写真、および／または選択された色と合わせ得る、あるいは調和させ得る、例えば、カーペット、壁紙、ならびに布地を含む、他の室内装飾アイテムを含むことができる。
【００１３】
色のデジタル表現およびメタデータ等の付加的情報は、データベース内に記憶される。コンピュータまたは他の情報処理デバイス上のソフトウェアプログラムを使用して、情報／メタデータに基づく色を表示、検索、およびソートし、それによって、消費者が、そのモニタ（または、他のディスプレイ）上の色の精度よりも、考えている特定の色に関するデータにより多く焦点を当てることを可能にすることができる。このソフトウェアプログラムは、特定の色コレクションまたはパレット内の全色の視認；特定の色を視認するためのパレットの拡大および縮小；ならびに読み出しおよび検索基準を満たすそれらの色のみの表示をもたらすであろう検索基準の選択を可能にすることができる。加えて、特定の色（例えば、関心色）が識別されると、ソフトウェアは、ユーザが、以下を含む、識別された色に基づいて、１つ以上の異なるアクションを行うことを可能にすることができる：色視覚化ソフトウェアプログラムを使用した色の視覚化；合わせるまたは調和させる室内装飾アイテムのデジタル表現（または、画像）の表示；色が適用された内装または外装画像のデジタル写真の表示；塗料の色サンプルまたは充填容器（例えば、クオート、ガロン、５ガロン）の購入；そのような塗料を購入する場所の識別；塗料調合自体；および同等物。色視覚化ツールを使用して、関心色は、製造された物品の３次元表現上で視覚化することができる。
【００１４】
故に、デジタル色画像のデータベースから色を選択するためのシステムおよび方法を対象とする種々の実施形態が、本明細書に説明される。建築用色用途では、色選択システムは、ユーザが、アクセスし、色および／または塗料調合を選択するためのウェブベースのシステム（例えば、インターネットまたは別のネットワークを使用して）、およびコンピュータ実装方法を提供する。色チップ、パネル、または色見本の高解像度デジタル表現（例えば、画像）、ならびに各色に関する付加的情報（例えば、メタデータ）を含む色情報は、データベース内に記憶されることができる。付加的情報は、消費者によって使用され、色選択を支援することができる。色画像のデータベースは、コンピュータサーバまたは他のタイプの処理デバイスのメモリ内に記憶されることができる。一実施形態では、ウェブベースの色検索および調合読み出しツールは、迅速かつ容易な色識別および選択の目的のために、ディスプレイ上に色の視覚的表現を提供し、色を関連適合性情報と関連付ける。
【００１５】
コンピュータまたはプロセッサは、コンピュータメモリ、あるいはコンパクトディスク、ＤＶＤ、または他の非一過性コンピュータ可読媒体内に含まれる、ソフトウェア命令に応答して、プロセスを実装するために必要とされるステップを行うことができる。
【００１６】
図１は、色を選択するために使用され得る、システムの一実装のブロック図である。図１の実施例では、複数のユーザが、コンピュータ、端末、タブレットコンピュータ、スマートフォン、ＰＤＡ、またはユーザが情報を入力することを可能にし、ディスプレイを含む、ユーザインターフェースを有する、他のデバイス１０、１２、または１４へのアクセスを有する。ユーザデバイスは、例えば、インターネットまたは別のネットワークを経由して、色画像データベース２０を記憶するためのメモリ１８と、ユーザ要求を受信し、ユーザ要求に応答して、データベースを検索し、色情報を取得するように適合される、プロセッサ２２とを含む、サーバ、コンピュータ、あるいは他の情報処理デバイスまたはシステム１６（以下、サーバと称される）と通信することができる。ユーザは、ユーザデバイスにおいて要求を開始し、要求は、サーバに伝送される。サーバは、データベースを検索し、情報をデータベースから取得する。検索要求は、公知のネットワークプロトコルを使用して、伝送されることができる。読み出された情報は、ユーザに伝送され、ユーザ場所で表示される。読み出された情報は、ユーザデバイスに、例えば、ＸＭＬ形式において伝送されることができ、色チップ、パネル、または見本の画像の形式において、画像データを含むことができる。システムは、任意の特定のデータ伝送プロトコルまたは画像形式に限定されない。ユーザデバイスは、市販のソフトウェアを使用して、画像を視認することができる。
【００１７】
建築用色検索に関連して使用されるとき、図１のシステムは、塗料調合が利用可能な色の検索可能ウェブベースのカタログを提供することができる。データベースは、例えば、合わせるまたは調和させる色、室内装飾アイテム、塗料購入情報、塗料調合等を識別する付加的情報にリンクされることができる、デジタル色画像を含む。
【００１８】
図２は、データベース構造の略図である。データベース２４は、複数の情報のコレクションを含む。高解像度画像は、画像ライブラリ２６内に記憶されることができる。画像は、異なる「コレクション」に群化されることができ、各「コレクション」は、色の選択を促進する、一式の記述データ（メタデータ）によってさらに分類されることができる。コレクションは、デジタル画像に関する、属性記述データを含む。２つ以上のコレクションを使用して、画像を描写することができる。複数のコレクションを有することによって、ユーザは、複数の基準を使用して、検索を行い、所望の情報を迅速かつ正確に読み出すことができる。属性記述データのテーブルが、各画像に対して作成されることができる。例えば、色系別デジタル画像の検索は、ユーザに、他の基準別検索を行い、所望の色に焦点を当てる能力を提供するであろう。
【００１９】
含まれ得るデータのタイプの実施例は、以下である：オンライン塗料調合データベースへのリンク、および／または色適合性情報へのリンク。そのようなコレクションは、色人気度別色コレクション２８、系別色コレクション３０、群別色コレクション３２、および色別利用適合性コレクション３４を含む。複数のコレクションは、速度、種々の検索選択肢、複数の検索基準、および／またはディスプレイ上の１つの視覚的表現における群化情報を提供することができる。
【００２０】
種々の実施形態では、高品質の色のデジタル画像が、捕捉され、塗料調合が利用可能な、検索可能なウェブベースの色のカタログで使用されることができる。ウェブベースのシステムは、一連の広範なユーザに、利用可能な色に関連する情報を見つける容易な解決策を提供する。
【００２１】
データベースに画像を取り込むために、色画像は、限定されないが、スキャナまたはデジタルカメラ等の公知の（例えば、商業的に利用可能な）画像捕捉デバイスを使用して、捕捉されることができる。捕捉された画像は、処理された画像を取得するために、限定されないが、例えば、ＰｈｏｔｏＳｈｏｐ等の公知の（例えば、商業的に利用可能な）画像処理ソフトウェアを使用して処理され得る。画像処理を行うために、編集者は、画像が修正されるべきかどうか、かつどのように修正されるべきかに関して、決定を行うことができる。次いで、画像は、市販のソフトウェアを使用して、それらの決定に従って修正されることができる。最終デジタル色画像は、次いで、データベース内に記憶される。画像は、ｐｎｇ、ｂｍｐ、ｊｐｅｇ、ｇｉｆ等のいくつかのファイル形式の色チップ、パネル、または見本の画像において記憶されることができる。しかしながら、画像は、任意の特定のファイル形式に限定されない。
【００２２】
概して、色画像／見本のデータベースは、任意の数の異なる色を含むことができる。データベースから読み出された色情報は、種々の方法で表示されることができる。例えば、一実施形態では、色系における完全な組の色選択肢の表現（例えば、フルカラーパレット）が、図３に示されるように、デジタル的に表示されることができる。ソート基準もまた、画面上に表示される。ユーザは、画面上のボタンをクリックすることによって、種々の検索基準を選択することができる。ユーザは、図３に表示されている色のみに基づいて、色を拡大し（例えば、サムネイル画像上のマウスクリックを介して）、選択し、図４に示される画面を生成するか、またはユーザは、画面上のメニューからソート基準を選択することによって、画面上の色を群化することができる。図５は、群、例えば、青色、緑色、橙色、赤色、菫色、または黄色別にソートされた色を示す。色が、群にソートされると、特定の群内の色は、図６に示されるように、選択されることができる。これらの色はさらに、クリーン、ミュート、ピュア、またはシェード等の特性別にソートすることができる。図７は、ミュートを示す。緑色群内のミュートからの特定の色が、図８に示されるように、選択されることができる。次いで、選択された色および人気度指標を示す画面が、図９に示されるように、表示されることができる。次に、選択された色は、図１０に示されるように、色を部屋等の画像に挿入することによって、視覚化されることができる。図面は、灰色の種々のパターンおよびシェードを示すが、図面中のパターンおよびシェードは、実際には、ユーザのディスプレイデバイス内の色であるであろうことは明白となろう。
【００２３】
建築用塗料色の場合、検索基準の実施例は、色系、色群、人気度、および特定の色を含む色コレクションであり得る。本説明で使用されるように、「色コレクション」は、設計および／または装飾に使用するために、補足的であるか、または一緒に群化される２つ以上の色を指す。
【００２４】
図３−９の画面を使用して、ユーザは、色の視覚化等のさらなる査定（図１０）、塗料サンプルの注文、または物理的色チップの検証のために、管理可能な組に、色選択肢をフィルタリングすることができる。種々の検索基準を使用して、ユーザは、関心色または複数の関心色を識別することができる。関心色と関連付けられた付加的情報は、付加的機能性を提供することができる。例えば、システムは、塗料調合ソフトと組み合わせて使用される場合があり、色は、選択された色を有する塗料の調合を提供する、調合データベースにリンクされ得る。代替として、または加えて、選択された色は、そのような色を有する塗料を購入する場所に関する情報にリンクされ得る。故に、本発明の側面はさらに、色画像および／または見本のデータベースから色を選択し、さらに、色に関する付加的情報にアクセスするためのシステムおよび方法を対象とする。
【００２５】
いくつかの実施形態では、システム／方法は、色視覚化ツールを含むことができ、選択された色または複数の色は、図１０に示されるような部屋において、壁、または電化製品、携帯電話、および同等物上に視覚化されることができる。いくつかの実施例では、ユーザは、自分の部屋または消費者アイテムの画像をアップロードまたはそれにアクセスし、その自身の画像上に色を描写し得る。建築家および設計者は、建物、橋、または他の構造が、選択された色によってどのように見えるかを描写するためのツールを使用し得、オートバイ、飛行機、ボート、貨物船、バス、列車等の設計者も同様である。故に、本発明の他の側面はさらに、色画像および／または見本のデータベースから色を選択し、その自身の画像または画像システムによって提供される画像であり得る、画像上に選択された色を視覚化することを対象とする。
【００２６】
代替として、または加えて、いくつかの実施形態では、ユーザは、色を選択し、補助的適合性色を確認することを要求することができる。選択された色を有する部屋またはアイテムの画像は、色名および塗料調合を用いて読み出すことができる。
【００２７】
データベースは、色系、色群、または色人気度を含むが、それらに限定されない、複数のクエリによって検索されることができる。検索基準およびデータは、データベースを通して、デジタル色画像にリンクされる。システムは、限定されないが、Ｍｉｃｒｏｓｏｆｔ  Ｐｉｖｏｔ等の種々のソフトウェアプラットフォームまたはウェブアプリケーションを使用して、実装されることができる。
【００２８】
代替として、または加えて、いくつかの実施形態では、ユーザは、全体的色パレットをナビゲートし、現在表示されている色より明るいまたは暗い色を識別することができる。ユーザは、ユーザが検索基準に一致する、色空間内に色彩的に配列される色を容易に視認することを可能にするインターフェースを使用することができる。このインターフェースは、ユーザが、探索を所望する色空間内において方向を選択することを可能にするであろう、方位磁石ナビゲーションのそれのようなものに類似し得る。ディスプレイ上のカーソルの移動は、現在表示されている色より明るいまたは暗い色を識別するために使用され得る。
【００２９】
代替として、または加えて、いくつかの実施形態では、ユーザは、選択された色の色相変化、例えば、現在表示されている色より赤色、青色等を有する色を指定することができる。次いで、システムは、新しい基準を満たす、別の色を識別するであろう。
【００３０】
代替として、または加えて、いくつかの実施形態では、ユーザは、Ｆａｃｅｂｏｏｋ等のソーシャルネットワーキングサイトを介して、あるいはＴｗｉｔｔｅｒまたは電子メールを介して、友人および家族等の他者と選択された色を共有することができる。これは、ユーザが、その色選択に関するフィードバックを受信することによって、その選択における信頼性を得ることを可能にするであろう。例えば、ユーザは、ソーシャルメディアを介して、色を共有することを可能にし、そこから、Ｆａｃｅｂｏｏｋ、Ｔｗｉｔｔｅｒ、または電子メール等のその好ましいネットワーキング方法を選択するであろう、ボタンまたはリンクをクリックし得る。
【００３１】
一側面では、システムは、色の高解像度画像を色に関連する特定の記述データのコレクションと統合する能力を提供する。このデータは、ユーザが、可能性のある標的色のリストを絞り込むために、色の特性を選択することを可能にする、ディープズームグラフィカルインターフェースを介して、ユーザに提示されることができる。このシステムはまた、ユーザが、選択された色と関連付けられた適合性のある色を迅速に識別することを可能にすることができる。
【００３２】
ソフトウェアプログラムを使用して、画像情報／メタデータに基づいて、色を表示、検索、およびソートし、それによって、ユーザが、そのモニタ上の色の精度ではなく、考えている特定の色に関するデータにより焦点を当てることを可能にすることができる。このソフトウェアプログラムは、特定の色コレクションまたはパレット内の全色の視認；特定の色を視認するためのパレットの拡大および縮小；ならびに読み出しをもたらすであろう検索基準の選択および検索基準を満たすそれらの色のみの表示を可能にするであろう。加えて、特定の色が識別されると、ソフトウェアは、ユーザが、その色に基づいて、以下を含む１つ以上の異なるアクションを行うことを可能にするであろう：色視覚化ソフトウェアプログラムを使用したその色の視覚化；補助構成要素上で使用される塗料に対するデジタル画像の表示；ならびに塗料を購入する場所の識別、塗料調合自体、および同等物。一実施形態では、Ｍｉｃｒｏｓｏｆｔ  Ｓｉｌｖｅｒｌｉｇｈｔソフトウェアを使用して、検索および表示機能を果たすことができる。
【００３３】
一実施形態では、本方法は、複数のデジタル画像を表示するステップと、検索基準を入力するステップと、検索基準と関連付けられた色画像に対してコンピュータデータベースを検索するステップと、検索基準を満たす色のデータ組を決定するステップと、所望の色に関連する付加的データと組み合わせて、所望の色を識別するステップとを含む。
【００３４】
一実施形態では、ウェブベースの色検索および調合読み出しツールは、画面上に色の視覚的表現を提供し、迅速かつ容易な色識別および選択の目的のために、色を関連のある適合性情報と関連付ける。
【００３５】
複数の色画像が、ユーザの場所におけるモニタまたは他のタイプのディスプレイデバイス上に表示されることができる。ユーザは、色画像のうちの１つ以上を識別するために使用され得る、種々の検索基準を入力することができる。色系に関する検索に対して、画面上に色の色彩配列を作成するために、ある特徴が効果的に用いられることができる。
【００３６】
ユーザが、色を選択すると、画面上に現れる塗料ブランドコードが選択され、販売業者ロケータアプリケーションへのリンクをアクティブ化することができる。郵便番号を入力することによって、ユーザは、ユーザが塗料製品を購入することができる、最寄りの塗料販売業者または店舗の検索および表示を開始することができる。代替として、または加えて、ユーザは、容易に、オンライン色調合サイトに移動し、所望の塗料系内の色調合にアクセスすることができる、または要求される塗料および補助製品を購入することができる最寄りの販売業者に向けられるであろう。
【００３７】
画面は、デジタル色画像のためのグレー背景を表示することができる。デジタルディスプレイのこの設計は、「同時対比」および「鮮鋭化効果」の現象を考慮する。同時対比は、観察者に、色がどの色に隣接するか、または囲まれるかに応じて、その色を異なって知覚させる。画面上に表示されるデジタル色画像を囲むグレー背景の使用は、ヒトの眼を較正し、白色背景上に提示されるデジタル色画像より優れたデジタル色画像をもたらす。鮮鋭化効果は、背景色の変化による色差異に対する知覚変化を生じさせるヒト視覚系現象である。複数のデジタル色画像を表示するための好適な方法は、一貫したグレー背景を維持し、背景色の変化による知覚変化を回避する。
【００３８】
別の実施形態では、デジタル色画像データベースは、混合ソフトウェアプラットフォームと関連して使用され、１つのアプリケーションにおいて、塗料成分を混合することを可能にし得る。デジタル色画像として画面上に表示される選択された色は、ユーザ選択ボタンとして使用され、色調合ウェブサイトへのリンクをアクティブ化することができる。これは、ユーザが、選択された色画像から、関連色に関する補助情報に移動し、次いで、混合および販売され得る、塗料調合にアクセスすることを可能にする。
【００３９】
いくつかの検索基準を利用して、ユーザは、識別および選択を小群のデジタル色画像に絞り込み得る。デジタル色画像の選択は、色に関する付加的情報ならびに適合性のある色の情報を生成することができる。デジタル色画像は、より容易な選択のために、色彩的に配列されることができる。最終選択は、選択された色画像を色調合読み出しツールにリンクすることができる。代替として、最終選択は、塗料および補助製品を購入するための最寄りの販売業者／供給者にリンクすることができる。最終選択はまた、付加的技術情報にリンクし得る。
【００４０】
方法はさらに、以下のうちの少なくとも１つを含む、付加的情報を表示することを含むことができる：技術データシート；材料安全性データシート（ＭＳＤＳ）；易噴霧性情報（ＲＴＳ）；揮発性有機化合物（ＶＯＣ）情報；および選択された色に関する製品利用。
【００４１】
方法はさらに、購入注文に関して、選択された色を入力すること；色調合読み出しツールへのリンクを表示すること；ならびに／あるいは塗料および／または補助製品が購入され得る販売業者または供給者へのリンクを表示することを含むことができる。
【００４２】
色選択方法は、色画像のデータベースと組み合わせて、Ｍｉｃｒｏｓｏｆｔ  Ｐｉｖｏｔ等のソフトウェアを使用して、実装されることができる。コンピュータまたはプロセッサは、コンピュータメモリまたは非一過性コンピュータ可読媒体内に含まれるソフトウェア命令に応答して、プロセスを実装するために必要とされることを行うことができる。
【００４３】
本明細書で利用される場合、明示的に指示されない限り、値、範囲、量、または割合を表すもの等の数はすべて、単語「ａｂｏｕｔ（約）」が明示的に現れない場合でも、本用語によって前置されているように読まれ得る。本明細書に列挙される任意の数値範囲は、本明細書に提示される全下位範囲を含むものと意図される。複数形は、単数形を包含し、その逆も然りである。例えば、「１つの（ａ）」色、「１つの（ａ）」色画像／見本、「１つの（ａ）」調合、および同等物のように参照されるが、複数の色、画像、見本、または調合が、選択および／またはアクセスされ得る。範囲が与えられるとき、それらの範囲内の任意の終点および／またはそれらの範囲内の数字は、本発明の範囲と組み合わせることができる。「Ｉｎｃｌｕｄｉｎｇ（含む）」、「等（ｓｕｃｈ  ａｓ）、「例えば（ｆｏｒ  ｅｘａｍｐｌｅ）」、および類似用語は、「含む／等／例えばであるが、それらに限定されない（ｉｎｃｌｕｄｉｎｇ／ｓｕｃｈ  ａｓ／ｆｏｒ  ｅｘａｍｐｌｅ，ｂｕｔ  ｎｏｔ  ｌｉｍｉｔｅｄ  ｔｏ）」を意味する。
【００４４】
本発明は、いくつかの実施形態の観点から説明されたが、本発明の範囲から逸脱することなく、説明される実施形態に種々の変更を行うことができることは、当業者に明白となるであろう。
【図１】
2014510322.tif 000003
【図２】
2014510322.tif 000004
【図３】
2014510322.tif 000005
【図４】
2014510322.tif 000006
【図５】
2014510322.tif 000007
【図６】
2014510322.tif 000008
【図７】
2014510322.tif 000009
【図８】
2014510322.tif 000010
【図９】
2014510322.tif 000011
【図１０】
2014510322.tif 000012
【国際調査報告】
2014510322.tif 000013
2014510322.tif 000014
2014510322.tif 000015